【手続補正書】
【提出日】平成26年10月31日(2014.10.31)
【手続補正１】
【補正対象書類名】特許請求の範囲
【補正対象項目名】全文
【補正方法】変更
【補正の内容】
【特許請求の範囲】
【請求項１】
ＭＲデバイスの検査ボリュームに配置される患者の体の少なくとも部分の磁気共鳴撮像の方法において、
第１の画像分解能でマルチポイントディクソン技術を用いて較正信号データセットが取得されるよう制御される、ＲＦパルス及び切り替えられる傾斜磁場を含む較正シーケンスに対して前記体の部分を従属させるステップと、
前記較正信号データセットから、シム設定を含む較正パラメータを得るステップと、
前記得られたシム設定に基づき、前記ＭＲデバイスのシムコイルを通る電流を制御することを含む、前記得られた較正パラメータに基づき、前記ＭＲデバイスを制御するステップと、
前記構成信号データセットから少なくとも１つの水画像及び少なくとも１つの脂肪画像をセグメント化した画像として再構成するステップと、
前記セグメント化した画像の前記少なくとも１つの水画像及び前記少なくとも１つの脂肪画像に基づき、水領域及び脂肪領域を特定するステップと、
前記セグメント化した画像の前記水領域及び前記脂肪領域の少なくとも１つにおいてＢ０均一性を最大化する前記シム設定を決定するステップと、
撮像シーケンスを適用している間、前記決定されたシム設定に基づき、前記ＭＲデバイスの前記シムコイルを通る前記電流を制御するステップと、
前記決定されたシム設定に基づき、前記電流を流している間、前記撮像シーケンスに対して前記体の部分を従属させるステップであり、前記撮像シーケンスは、診断信号データセットが前記第１の画像分解能より高い第２の画像分解能で取得されるよう制御される、ＲＦパルス及び切り替えられる傾斜磁場を含む、前記撮像シーケンスに対して前記体の部分を従属させるステップと、
前記診断信号データセットから診断ＭＲ画像を再構成するステップとを有する、方法。
【請求項２】
前記較正信号データセット及び前記診断信号データセットが、前記ＭＲデバイスの複数のアレイＲＦコイルを介して並列に受信されるＭＲ信号を含み、前記アレイＲＦコイルは、異なる空間感度プロファイルを持つ、請求項１に記載の方法。
【請求項３】
前記較正信号データセットは追加的に、前記ＭＲデバイスの体ＲＦコイルを介して受信されるＭＲ信号を含み、前記アレイＲＦコイルの空間感度プロファイルは、前記較正信号データセットから較正パラメータとして得られ、及び前記診断ＭＲ画像が、前記診断信号データセット及び前記アレイＲＦコイルの空間感度プロファイルの組合せから再構成される、請求項２に記載の方法。
【請求項４】
前記較正信号データセットから再構成される少なくとも１つの低分解能ＭＲ画像に基づき、スキャン計画、患者生体構造識別及び自動化された患者再配置の少なくとも１つを実行するステップと、
前記第１の画像分解能を持つ及び前記較正信号データセットから再構成された少なくとも１つの低分解能ＭＲ画像へと体モデルの適合を実行するステップとのうち少なくとも１つを有する、請求項１乃至３のいずれか一項に記載の方法。
【請求項５】
検査ボリュームに含まれる一様な、安定した磁場Ｂ０を生成する少なくとも１つの主磁石コイルと、
前記検査ボリュームにおける異なる空間方向において切り替えられた傾斜磁場を生成する複数のグラジエントコイルと、
前記検査ボリュームにおけるＲＦパルスを生成する、及び前記検査ボリュームに配置される患者の体からのＭＲ信号を受信することの少なくとも一方を行うための少なくとも１つの体ＲＦコイルと、
時間連続的なＲＦパルス及び切り替えられた傾斜磁場を制御する制御ユニットと、
再構成ユニットと、
視覚化ユニットと、
以下のステップを行うように構成される制御ユニットとを有し、
前記以下のステップは、
第１の画像分解能でマルチポイントディクソン技術を用いて較正信号データセットが取得されるよう制御される、ＲＦパルス及び切り替えられる傾斜磁場を含む較正シーケンスに対して前記体の部分を従属させるステップと、
前記較正信号データセットから較正パラメータを得るステップと、
前記得られた較正パラメータに基づき、前記ＭＲデバイスを制御するステップと、
診断信号データセットが前記第１の画像分解能より高い第２の画像分解能で取得されるよう制御される、ＲＦパルス及び切り替えられる傾斜磁場を含む撮像シーケンスに対して前記体の部分を従属させるステップと、
前記診断信号データセットから診断ＭＲ画像を再構成するステップと、
前記較正信号データセットから較正パラメータとしてシム設定を得るためのシミングを行うステップであり、前記ＭＲデバイスのシムコイルを通る電流は、前記得られたシム設定に基づき制御される、ステップと、
前記較正信号データセットから少なくとも１つの水画像及び少なくとも１つの脂肪画像を再構成するステップと、
前記少なくとも１つの水画像及び前記少なくとも１つの脂肪画像に基づき、水領域及び脂肪領域を特定するステップと、
前記水領域及び前記脂肪領域の少なくとも１つにおいて前記Ｂ０均一性を最大化するシム設定を決定するステップとを有する、ＭＲデバイス。
【請求項６】
前記磁場Ｂ０の均一性を最適化する複数のシムコイルを更に有する請求項５に記載の、ＭＲデバイス。
【請求項７】
前記体から前記ＭＲ信号を並列に受信するアレイＲＦコイルのセットを更に有し、前記アレイＲＦコイルが、異なる空間感度プロファイルを持ち、前記制御ユニットは更に、前記較正信号データセットから較正パラメータとして前記アレイＲＦコイルの空間感度プロファイルを得て、前記診断信号データセット及び前記アレイＲＦコイルの空間感度プロファイルの組合せから、前記診断ＭＲ画像を再構成するよう構成される、請求項５又は６に記載のＭＲデバイス。
【請求項８】
処理ユニットにより実行されるとき、以下のステップを行うための前記処理ユニットを構成するコンピュータ命令を具現化する非一時的なコンピュータ読取可能媒体において、以下のステップは、
第１の画像分解能でマルチポイントディクソン技術を用いて較正信号データセットが取得されるよう、ＲＦパルス及び切り替えられる傾斜磁場を含む較正シーケンスを生成するステップと、
前記較正信号データセットから較正パラメータを得るステップと、
前記得られた較正パラメータに基づき、前記ＭＲデバイスを制御するステップと、
診断信号データセットが前記第１の画像分解能より高い第２の画像分解能で取得されるよう、ＲＦパルス及び切り替えられる傾斜磁場を含む撮像シーケンスを生成するステップと、
前記較正信号データセットから較正パラメータとしてシム設定を得るステップであって、前記ＭＲデバイスのシムコイルを通る電流が、前記得られたシム設定に基づき制御される、ステップと、
前記較正信号データセットから少なくとも１つの水画像及び少なくとも１つの脂肪画像を再構成するステップと、
前記少なくとも１つの水画像及び前記少なくとも１つの脂肪画像に基づき、水領域及び脂肪領域を特定するステップと、
前記水領域及び前記脂肪領域の少なくとも１つにおいて前記Ｂ０均一性を最大化するシム設定を決定するステップとを有する、非一時的なコンピュータ読取可能媒体。
【請求項９】
前記構成信号から前記第１の画像分解能を持つ低分解能画像を構成するステップと、
患者配置情報を得るために前記低分解能画像を解析するステップと、
前記患者配置情報に基づき、前記検査ボリュームにおける患者の配置を決定するステップと、
前記決定された患者の配置が望ましい位置とは異なるとき、前記患者を前記検査ボリュームにおける望ましい位置に移すステップとを更に有する、請求項１に記載の方法。
【請求項１０】
前記較正信号データセットから再構成される前記セグメント化した画像は、前記水領域及び前記脂肪領域におけるＢ０ずれに基づきコスト関数を最適化するステップにより、シミングコイルのシム設定を計算するのに使用され、前記コスト関数を最適化するステップは、
１６０Ｈｚより大きな周波数オフセットを持つ前記脂肪領域におけるボクセル数を最小化することにより、前記脂肪領域を抑制するステップと、
±１２０Ｈｚの周波数オフセット間隔の外側の前記水領域のピクセル数が最小化されるまで、前記決定したシム設定を調整するステップとを有する、請求項１に記載の方法。